(57)【要約】【課題】  右利き、左利きのいずれの使用者であっても、スムーズな使用が可能となると共に、不使用時には、ハンドル部を外方へ突出させることがなく、保持又は収納しやすく、かつ外観品質を向上させることができるハサミを提供する。【解決手段】  幅方向両側に刃が形成された刃部と、上記刃部に連設された把持部とを有し、上記刃部の基端部において軸部により回動可能に接合された一対のハサミ構成体を備え、上記一対のハサミ構成体が軸部を介して双方向に交差して回動するように構成されたハサミであって、上記把持部には、一方の幅方向のみへ突出するハンドル部が外方から視認不可能に内装され、把持部に設けられたスライダを作動させることによりハンドル部を形成する。【選択図】  図１
0003152672.tif 000002
【実用新案登録請求の範囲】
【請求項１】
幅方向両側に刃が形成された刃部と、上記刃部に連設された把持部とを有し、上記刃部の基端部において軸部により回動可能に接合された一対のハサミ構成体を備え、上記一対のハサミ構成体が軸部を介して双方向に交差して回動するように構成されたハサミであって、
上記把持部には、一方の幅方向のみへ突出するハンドルフレーム部が、外方から視認不可能に内装され、把持部に設けられたスライダを作動させることによりハンドル部を形成することを特徴とするハサミ。
【請求項２】
上記把持部は内部に空隙部を有する細長棒状に形成されると共に、上記空隙部には可撓性を有するハンドルフレーム部が内装され、
上記把持部の幅方向両側面部には長さ方向に沿って上記ハンドルフレーム部が幅方向に突出しうる開口部が、夫々、開設されると共に、上記把持部の平面部には長さ方向に沿ってスライダ開口部が開設され、
上記ハンドルフレーム部の一端部は把持部に固定されると共に先端部は上記スライダ開孔部内に配置される上記スライダに固定され、上記スライダを後端部方向へスライドさせることによりハンドルフレームを撓め、上記開口部から把持部外方へ突出させることを特徴とする請求項１記載のハサミ。
【請求項３】
上記把持部は細長直方体形状に形成されると共に、上記ハンドルフレーム部の後端部は把持部後端部に固定されていることを特徴とする請求項２記載のハサミ。
【請求項４】
上記開口部には、突出阻止部材が挿入可能に形成され、上記突出阻止部材を上記一方の開口部に挿入し、上記ハンドルフレーム部の突出を規制することにより上記把持部の他方の開口部から幅方向へ突出させることを特徴とする請求項２または３のいずれか１項に記載のハサミ。
【請求項５】
上記把持部及びハンドルフレーム部は合成樹脂により形成されていることを特徴とする請求項４記載のハサミ。
【考案の詳細な説明】
【技術分野】
【０００１】
本考案はハサミに係り、特に、右利き及び左利きの双方の人が違和感無く使用できるハサミに関する。
【背景技術】
【０００２】
従来より、ハサミは右利き用の製品が一般的であるが、左利き用のハサミも存在した。しかしながら、いずれも、利き腕に専用のハサミの場合には、把持部の指リング部の幅方向の傾斜角度が異なるため、利き腕に専用のハサミではない場合には非常に使用しにくかった。
【０００３】
そこで、従来より、図４に示すような、右利きの使用者も左利きの使用者も違和感無く使用することができる「左右両利きハサミ」４０が提案されていた。
このような従来の「左右両利きハサミ」４０は、平面長方形状であって幅方向の両側に刃４１，４１を有する刃部４２と、上記刃部４２の長さ方向の端部に連設された把持部４３とを備え、軸部４６を介して双方向に回動可能な一対のハサミ構成体４４，４４を有し、上記把持部４３の幅方向両側には、夫々、ハンドル形成部４５，４５が内装され、上記夫々のハサミ構成体４４のハンドル形成部４４，４４を、反対の幅方向へ引き出すことにより、ハサミ４０を構成し、右利き、左利き双方の使用者に違和感無く使用できるように構成されている。
【０００４】
しかしながら、このような従来のハサミ４０にあっては、使用時に、上記ハンドル形成部４５，４５を幅方向に指で引き出すことが煩雑であり、スムーズな使用ができない場合がある、という不具合が存していた。
また、この従来のハサミ４０にあっては、収納時にあっても上記ハンドル形成部４５，４５が外方から視認できるように配置されていたことから外観品質が良好ではない、という不具合も存していた。
【特許文献１】特開昭６３−６３４８５号
【考案の開示】
【考案が解決しようとする課題】
【０００５】
そこで、本考案は、右利き、左利きのいずれの使用者であっても、スムーズな使用が可能となると共に、不使用時には、ハンドル部を外方へ突出させることがなく、保持又は収納しやすく、かつ外観品質を向上させることができるハサミを提供することにある。
【課題を解決するための手段】
【０００６】
上記課題を解決するために、請求項１の考案にあっては、幅方向両側に刃が形成された刃部と、上記刃部に連設された把持部とを有し、上記刃部の基端部において軸部により回動可能に接合された一対のハサミ構成体を備え、上記一対のハサミ構成体が軸部を介して双方向に交差して回動するように構成されたハサミであって、上記把持部には、一方の幅方向のみへ突出するハンドル部が外方から視認不可能に内装され、把持部に設けられたスライダを作動させることによりハンドル部を形成することを特徴とする。
【０００７】
従って、請求項１記載の考案にあっては、使用者は使用時に、自分の利き腕に合わせて、一対のハサミ構成体を使用しやすい形に配置すると共に、上記ハンドル部を一方の幅方向のみへ突出させてハサミを構成して使用することができる。  
【０００８】
請求項２記載の考案にあっては、上記把持部は内部に空隙部を有する細長棒状に形成されると共に、上記空隙部には可撓性を有するハンドルフレーム部が内装され、上記把持部の幅方向両側面部には長さ方向に沿って上記ハンドルフレーム部が幅方向に突出しうる開口部が、夫々、開設されると共に、上記把持部の上面部には長さ方向に沿ってスライダ開口部が開設され、上記ハンドルフレーム部の一端部は把持部に固定されると共に先端部は上記スライダ開孔部内に配置される上記スライダに固定され、上記スライダを後端部方向へスライドさせることによりハンドルフレームを撓め、上記開口部から把持部外方へ突出させることを特徴とする。
請求項３記載の考案にあっては、上記把持部は細長直方体形状に形成されると共に、上記ハンドルフレーム部の後端部は把持部後端部に固定されていることを特徴とする。
【０００９】
従って、請求項３記載の考案にあっては、使用者は上記スライダを後端部方向へスライドさせることにより、上記ハンドルフレーム部を把持部の一方の幅方向へ突出させてハンドル部を形成することができる。
また、不使用時には、上記スライダを把持部先端部方向へ戻すことにより、上記ハンドルフレーム部を把持部内に収納させる。
【００１０】
請求項４記載の考案にあっては、上記開口部には、突出阻止部材が挿入可能に形成され、上記突出阻止部材を上記一方の開口部に挿入し、上記ハンドルフレーム部の突出を規制することにより上記把持部の他方の開口部から幅方向へ突出させることを特徴とする。
【００１１】
従って、請求項４記載の考案にあっては、上記スライダを作動させた場合には、上記ハンドルフレーム部は上記突出阻止部材に当接して幅方向における反対側の開口部から突出する。
請求項５記載の考案にあっては、上記把持部及びハンドルフレーム部は合成樹脂により形成されていることを特徴とする。
【考案の効果】
【００１２】
請求項１乃至２記載の考案にあっては、従来のように、使用者が指によりハンドル形成部を把持部の幅方向に引き出してハンドル部を形成する必要がなく、スライダーを作動させることによりハンドルフレームが幅方向に突出してハンドル部が形成されることから、容易にハンドル部を形成することができ、その結果、スムーズな使用が可能となる。
【００１３】
また、不使用時には、上記スライダを把持部先端部方向へ戻すことにより、上記ハンドルフレーム部を把持部内に収納させることができるため、不使用時にハンドル部を外方へ突出させないことから、把持部から刃部にかけて一本の棒状に形成され、ハサミ全体として保持又は収納しやすく、かつ外観品質を向上させることができるハサミが提供される。
【００１４】
請求項４記載の考案にあっては、使用者は上記スライダを後端部方向へスライドさせることにより、上記ハンドルフレーム部を把持部の一方の幅方向へ突出させてハンドル部を形成することができることから、使用者の判断でハンドルフレーム部を容易にいずれかの幅方向のみへ突出させることができる。
【００１５】
請求項５記載の考案にあっては、把持部及びハンドルフレーム部は合成樹脂により形成されていることから、軽量であって製造コストを低減できるハサミを提供することが可能となる。
【図面の簡単な説明】
【００１６】
【図１】本考案に係るハサミの一実施の形態を示す平面図であって、刃部を開くと共にハンドル部を形成した状態を示す図である。
【図２】本考案に係るハサミの一実施の形態を示し、ハンドル部を形成する際に、突出阻止部材を挿入する状態を示す平面図である。
【図３】本考案に係るハサミの一実施の形態を示し、ハンドル部を形成する際に、突出阻止部材を挿入した状態を示す平面図である。
【図４】従来の左右両利きハサミの一例を示す平面図である。
【考案を実施するための最良の形態】
【００１７】
以下、添付図面に示す実施の形態に基づき、本考案を詳細に説明する。
図１に示すように、本実施の形態に係るハサミ１０は、幅方向両側に刃２６，２６が形成された刃部１１と、上記刃部１１に連設された把持部１２とを有し、上記刃部１１の基端部において軸部１３により回動可能に接合された一対のハサミ構成体１４，１４を備え、上記一対のハサミ構成体１４，１４が上記軸部１３を介して双方向（矢印方向）に交差して回動するように構成されている。
【００１８】
上記把持部１２は、内部に空隙部２７を有して形成され、一方の幅方向のみへ突出するハンドルフレーム部１５が、外方から視認不可能に上記空隙部２７に内装されており、上記把持部１２に設けられたスライダ１６を作動させることによりハンドル部２３を外方へ形成できるように構成されている。
【００１９】
本実施の形態にあっては、上記把持部１２及びハンドルフレーム部１５は合成樹脂により形成され、上記ハンドルフレーム部１５は細幅に形成されていることから長さ方向に圧縮された場合には左右方向へ容易に撓むように形成されている。
【００２０】
上記把持部１２は全体略細長直方体形状に形成されると共に可撓性を有する棒状のハンドルフレーム部１５が内装され、上記把持部１２の幅方向両側面部には長さ方向に沿って上記ハンドルフレーム部１５が幅方向に突出しうる開口部１７，１７が、夫々、開設されると共に、上記把持部１２の平面部１８には長さ方向に沿ってスライダ開口部１９が開設されている。
【００２１】
上記ハンドルフレーム部１５の後端部２０は把持部１２の後端部に固定されると共に、先端部２１は上記スライダ開孔部１９内に配置される上記スライダ１６に固定されている。
【００２２】
上記スライダ開口部１６の先端部及び後端部には、係合凹部２４，２５が形成され、スライダ１６に形成されている係止部（図示せず)が係合して、ハンドルフレーム部１５の収納状態及び突出状態で固定できるように構成されている。
また、上記開口部１７，１７は、側面台形状の突出阻止部材２２を挿入して固定可能に形成され、上記突出阻止部材２２を、ハンドルフレーム部１５を突出させたい幅方向とは反対側の開口部１７へ挿入することにより、上記ハンドルフレーム部１５の突出を規制することにより上記把持部の一方の幅方向のみへ突出させることができる。
【００２３】
その結果、本実施の形態にあっては、上記スライダ１６を把持部１２の後端部方向へスライドさせることによりハンドルフレーム部１５を撓め、上記開口部１７，１７から把持部１２の外方へ突出させるように構成されている。
【００２４】
以下、本実施の形態に係るハサミ１０の作用について説明する。
本実施の形態に係るハサミ１０を使用する場合、図２及び図３に示すように、先ず、一方のハサミ構成体１４に、上記突出阻止部材２２を把持部１２の幅方向の開口部１７，１７のいずれか一方の開口部１７ａに差込み、その状態でスライダ１６を上記係合凹部２４から外して把持部１２の後端部方向へ引き上記係合凹部２５にロックする。
【００２５】
これにより、図１に示すように、把持部１２に内装されているハンドルフレーム部１５は上記突出阻止部材２２に当接することから、突出阻止部材２２により閉塞されていない開口部１７から外方へ撓んで膨出するように突出してハンドル部２３が形成される。
【００２６】
同様にして、他方のハサミ構成体１４の、上記一方のハサミ構成体１４の突出阻止部材２２が挿入された開口部１７に対向する側の開口部１７ｂに突出阻止部材２２を挿入して、上記一方のハサミ構成体１４の外方に突出したハンドルフレーム部１５に対向し、相互に対称となるようにハンドルフレーム部１５を突出させて、図１に示すように、一対のハンドル部２３，２３を形成する。
【００２７】
この状態で、使用者の利き手に応じて、適宜、図１に示すように、右手又は左手により、指を上記ハンドル部２３，２３に挿入し、把持部１２，１２を把持して、ハサミ構成体１４，１４を上記軸部１３を介して回動させて使用する。
【００２８】
また、ハサミ１０を使用しない場合には、図２及び図３に示すように、上記スライダ１６を先端部方向へ戻して上記係合凹部２４へロックすることにより上記ハンドルフレーム部１５を把持部１２へ内装する。
従って、本実施の形態に係るハサミ１０にあっては、従来のように、使用者自ら、ハンドル形成部を把持部１２の幅方向に引き出してハンドル部２３，２３を形成する必要がなく、スライダ１６を作動させることによりハンドルフレーム部１５が幅方向に突出してハンドル部２３が形成されることから、容易にハンドル部２３を形成することができ、その結果、スムーズな使用が可能となる。
【００２９】
また、使用者は上記スライダ１６を後端部方向へスライドさせることにより、上記ハンドルフレーム部１５を把持部１２の一方の幅方向へ突出させてハンドル部２３を形成することができることから、使用者の判断でハンドルフレーム部１５を容易にいずれかの幅方向のみへ突出させることができる。
【００３０】
そして、ハサミ１０を使用しない場合には、上記スライダ１６を把持部１２の先端部方向へ戻すことにより、上記ハンドルフレーム部１５を把持部１２内に収納させることができるため、図２及び図３に示すように、不使用時にはハンドル部を外方へ突出させないことから、把持部１２から刃部１１にかけて一本の棒状に形成でき、ハサミ全体として保持又は収納しやすく、かつ外観品質を向上させることができる。
【００３１】
また、本実施の形態にあっては、把持部１２及びハンドルフレーム部１５は合成樹脂により形成されていることから、軽量であって製造コストを低減できるハサミを提供することが可能となる。
【産業上の利用可能性】
【００３２】
本考案は、右利き、左利きの双方の使用者が使用できるハサミに広く適用することができる。
【符号の説明】
【００３３】
１０  ハサミ  
１１  刃部
１２  把持部
１３  軸部
１４  ハサミ構成体
１５  ハンドルフレーム部
１６  スライダ
１７  開口部
１８  平面部
１９  スライダ開口部
２０  後端部
２１  先端部
２２  突出阻止部材
２３  ハンドル部
２４  係合凹部
２５  係合凹部
２６  刃
２７  空隙部
４０  左右両利きハサミ
４１  刃
４２  刃部
４３  把持部
４４  ハサミ構成体
４５  ハンドル形成部
【図１】
0003152672.tif 000003
【図２】
0003152672.tif 000004
【図３】
0003152672.tif 000005
【図４】
0003152672.tif 000006